(57)【要約】【課題】本考案は、使用しない時は部材を解体せずに簡単に折りたたんで扁平状にすることができ、使用する時は部材を組み立てることなく簡単に箱体に展開することが可能な、家や個人の物品を収納する収納箱を提供する。【解決手段】軟性の布材からなるとともに上方に開口部を形成する箱体を備えている。前記箱体の開口部の周縁には枠体が嵌合され、前記箱体内部の底面の周辺には複数の支持板が設けられ、前記支持板の長さは、前記枠体の下面から箱体内部の底面までの間の側壁の高さより長い。箱体を展開させる時は、前記支持板はめくり上げられて直立状態になるとともに支持板によって枠体の下面と箱体内部の底面の間は支えられて收納箱を形成する。前記支持板を枠体から外して箱体を折りたたむと扁平形態となり、支持板は箱体内に平らに置かれる。【選択図】図１
0003166093.tif 000002
【実用新案登録請求の範囲】
【請求項１】
折りたたみ可能な収納箱であって、
前記収納箱は、軟性の布材からなるとともに上方に開口部を形成する箱体を備えており、
前記箱体の開口部の周縁には枠体が嵌合され、前記箱体内部の底面の周辺には複数の支持板が設けられ、
前記支持板の長さは、前記枠体の下面から箱体内部の底面までの間の側壁の高さより長く、
箱体を展開させる時は、前記支持板はめくり上げられて直立状態になるとともに支持板によって枠体の下面と箱体内部の底面の間は支えられて收納箱を形成し、
前記支持板を枠体から外して箱体を折りたたむと扁平形態となり、
前記枠体に近接する前記箱体の側壁と前記支持板との間には、複数の固定装置が設けられ、前記固定装置は、箱体と枠体の嵌合箇所の内側壁と、それに対応する支持板の位置に設けられ、支持板が前記枠体の下面を支える時、前記固定装置によって支持板は更に安定して箱体に固定されることを特徴とする、折りたたみ可能な収納箱。
【請求項２】
前記固定装置は、前記箱体に設けられた面ファスナーフック状部材と、前記支持板に設けられた面ファスナーループ状部材材であることを特徴とする、請求項１に記載の折りたたみ可能な収納箱。
【請求項３】
前記枠体の下面には輪状の溝が設けられ、前記箱体の開口部の周縁は前記溝内に嵌合されることを特徴とする、請求項１に記載の折りたたみ可能な収納箱。
【考案の詳細な説明】
【技術分野】
【０００１】
本考案は折りたたんで扁平状にしたり、或いは、立ち上げて収納可能な形態にしたりすることが可能な収納箱に関する。
【背景技術】
【０００２】
近年、折りたたみ可能な收納箱が市場に登場しているものの、構造上の理由により、折りたたんだ後も扁平状にすることができないため、折りたたんだ後の外観がよくないだけでなく、しまっておくのにも不便である。
【０００３】
また、従来の別の形態の收納箱は、軟質の布体内に硬質の板を包みこむことにより、收納箱の直立の壁面を形成させている。一枚の壁面内に二枚の硬質の板を包み込むとともに二枚の硬質の板の間に隙間を設ける構造により、收納箱の壁面は折り曲げることができるようになる。また、それ以外には、この構造は、袋体の上方の開口部の両側にそれぞれ取っ手が設けられているだけである。
【考案の概要】
【考案が解決しようとする課題】
【０００４】
そこで、本考案は、使用しない時は部材を解体せずに簡単に折りたたんで扁平状にすることができ、使用する時は部材を組み立てることなく簡単に箱体に展開することが可能な、家や個人の物品を収納する収納箱を提供することを目的とする。
【課題を解決するための手段】
【０００５】
本考案による収納箱は、軟性の布材からなる箱体を備える。箱体の上方の開口部には枠体を設け、箱体内部の底面には複数の支持板を設ける。なお、支持板の下端は、箱体の展開、或いは折りたたみする際に上下に動作させる。以上の構造により、收納箱を使用せずに折りたたむ時は、支持板は箱体内部の底面に平らに置かれる。また、收納箱を展開させて使用する時は、支持板をめくり上げ、支持板の上、下端でそれぞれ枠体の下面と箱体内部の底面を支持させることにより收納箱を形成させる。
【図面の簡単な説明】
【０００６】
【図１】收納箱を円形体にした本考案の実施例を示した斜視図である（実施例１）。
【図２】円形体の收納箱を折りたたんで扁平状にした本考案の実施例を示した斜視図である。
【図３】收納箱を矩形体にし、支持板で枠体を支えさせた本考案の実施例の一部を示した斜視図である（実施例２）。
【図４】図３の支持板を枠体から外した実施例の一部を示した断面斜視図である。
【図５】支持板を矩形体の收納箱の各隅に設けた本考案の実施例を示した斜視図である（実施例３）。
【図６】收納箱を折りたたんで扁平状にした本考案の実施例を示した平面図である。
【図７】收納箱の箱体を上に立ち上げ、支持板をめくりあげた本考案の実施例を示した説明図である。
【図８】收納箱の箱体を完全に立ち上げ、支持板を枠体下方に支持させて収納箱を形成させた本考案の実施例を示した平面図である。
【考案を実施するための形態】
【０００７】
（実施例１）
図１に示すように、本考案の実施例１は、箱体１と、輪が閉じたリング状の枠体２と、まっすぐな複数の支持板３とによって構成する。箱体１は、軟性の布材からなるとともに上方に開口部を形成する。箱体１の対向する両側壁には穿孔１１が設けられる。枠体２は、箱体１の開口部に対応するとともに開口部の周縁に連結される。支持板３は、箱体１内部の底面の周邊に連結され、支持板３は、箱体１の展開或いは折りたたみする際に上下に動作させる。また、支持板３の長さは、枠体２下面から箱体１内部の底面までの高さより長い。以上の構造により、箱体１を展開する場合、支持板３をめくり上げて直立状態にし、支持板３によって枠体２の下面と箱体１内部の底面の間を支持させる。それにより、支持板３によってしっかり支えられ固定された收納箱が形成される（図１に図示）。また、支持板３を枠体２から外すと、箱体１を折りたたんで扁平形態にすることができる（図２に図示）。本考案は、さらに、支持板３を箱体１に固定するための固定装置を設けることができる。前記固定装置は、本考案の実施例においては面ファスナーである。例えば、箱体１と枠体２の嵌合箇所の内側壁面には複数の面ファスナーフック状部材１２を設け、それに対応する支持板３の少なくとも一側には面ファスナーループ状部材３１を設ける。支持板３で枠体２の下面と箱体１内部の底面の間を支えた後、面ファスナーフック状部材１２で面ファスナーループ状部材３１を覆うと、支持板３は箱体１に固定される。枠体２を箱体１に連結させた後、穿孔１１は收納箱の取っ手として用いられる。
【０００８】
（実施例２）
本考案の実施例２の箱体１は矩形体であり、枠体２は、箱体の矩形開口部に対応した輪が閉じたリング状の矩形枠である（図３に図示）。本考案の枠体２と箱体１の開口部の組合せ構造は、枠体２の下面に輪状の溝２１が設けられ、溝２１から内部に伸びる直径は、その開口部より大きく、箱体１の開口部の端縁は、折り曲げられて折曲部１３を形成し、折曲部１３は溝２１内に嵌合され固定される。この枠体２と箱体１の組合せ構造は、同様に、前述した円形の箱体と枠体にも適用される。図４に示すように、枠体２に近接した箱体１の側壁には、同様に、面ファスナーフック状部材１２が設けられ、支持板３には面ファスナーループ状部材３１が設けられる。收納箱を使用しない時は、面ファスナーフック状部材１２を外し、さらに、支持板３を箱体１の底面に平らに置き、軟性の箱体１を折りたたんで扁平状にする（図６に図示）。そうすることにより、しまっておくのに便利である。收納箱を展開させて使用する場合（図４と図７に図示）は、支持板３をめくり上げて直立状態にすると、支持板３の長さは枠体２下面から箱体１内部の底面までの高さより長いため、箱体は上方に引き上げられる。そして、支持板３の上端で枠体２の下面を支持させ、支持板３の下端で箱体１の下面を支持させ、面ファスナーフック状部材１２を支持板３の面ファスナーループ状部材３１に貼り合わせると、支持板３は箱体１に固定される（図８に図示）。
【０００９】
（実施例３）
図５に示すように、本考案の実施例３は、箱体１と枠体２がいずれも矩形の收納箱であり、支持板３を箱体１の各隅に設け、支持板３の上、下端で枠体２の下面と箱体１内部の底面の間を支持させることにより收納箱を形成させる。
【符号の説明】
【００１０】
１      箱体
１１    穿孔
１２    面ファスナーフック状部材
１３    折曲部
２      枠体
２１    溝
３      支持板
３１    面ファスナーループ状部材
【図１】
0003166093.tif 000003
【図２】
0003166093.tif 000004
【図３】
0003166093.tif 000005
【図４】
0003166093.tif 000006
【図５】
0003166093.tif 000007
【図６】
0003166093.tif 000008
【図７】
0003166093.tif 000009
【図８】
0003166093.tif 000010